(57)【要約】      （修正有）【課題】リクライニング機能を備えた介護ベッドで用いるに好適で、上半身側を起こして傾斜させたときに枕が重力によって移動することを防止でき最適な位置に保持できる介護ベッド用枕保持袋を提供する。【解決手段】枕１０１を収容し得る略矩形の袋状に形成された本体部１と、本体部１の一端部に取付けられた一対の紐状部材２と、本体部１の平坦部分に設けられた衣嚢部３とを備える。紐状部材２は、介護ベッドの可動式のマットレス１０４の頭部側の端部を経て、マットレス１０４の下のボトム部（通気用の穴を持つ鋼板、金網とそれを保持する金属パイプ枠など）１０５に締結される。【選択図】図５
0003223634.tif 000002
【実用新案登録請求の範囲】
【請求項１】
枕を収容し得る略矩形の袋状に形成された布材からなる本体部と、
前記本体部の一端部に取付けられた一対の紐状部材と、
前記本体部の平坦部分に設けられ、保冷バッグを収容し得る衣嚢部と
を備えたことを特徴とする介護ベッド用枕保持袋。
【請求項２】
前記一対の紐状部材は、それぞれが長い紐と短い紐との２本からなり、介護ベッドの可動式のマットレスの頭部側の端部を経て、該マットレスの下のボトム部に締結されることを特徴とする前記１記載の介護ベッド用枕保持袋。
【考案の詳細な説明】
【技術分野】
【０００１】
本考案は、介護ベッド用枕保持袋に関し、詳しくは、リクライニング機能を備えた介護ベッドで用いるに好適で、上半身側を起こして傾斜させたときに枕が重力によって移動することを防止でき最適な位置に保持できる介護ベッド用枕保持袋に関する。
【背景技術】
【０００２】
介護ベッドでは、リクライニング機能を使用して上半身側を起こして傾斜させたときに、枕が重力によって腰側に移動してしまい、使用者には不快感があり、介護者には枕の位置を戻す手間が必要になってしまう。したがって、枕の重力による移動の防止が望まれる。
【０００３】
特許文献１には、介護ベッドで用いられる枕が、介護ベッドの上半身側を起こして傾斜させたときに移動することを防止する枕カバーが記載されている。この枕カバーは、布部材と、１本又は２本以上の紐状部材と、布部材の上縁部に孔部保持部材とを有し、紐状部材は、孔部保持部材に挿通して連結され、マットレス載置台の可係止部位に連結される。介護ベッドの上半身側を起こしたとき、枕を枕収容室から取り出すことができ、枕が使用者の首〜背中近辺に位置しないようにできるものである。
【先行技術文献】
【特許文献】
【０００４】
【特許文献１】実用新案登録第３２１０６６３号
【考案の概要】
【考案が解決しようとする課題】
【０００５】
前述の枕カバーは、介護ベッドの上半身側を起こしたとき、枕を取り出してしまうものであり、枕の移動を防止するものではない。この枕カバーでは、上半身側を起こして傾斜させたときに、重力による枕の移動を十分に防止することができず、そのために枕を取り出してしまうようにしている。
【０００６】
そこで、本考案は、リクライニング機能を備えた介護ベッドで用いるに好適で、上半身側を起こして傾斜させたときに枕が重力によって移動することを防止でき最適な位置に保持できる介護ベッド用枕保持袋を提供することを目的とする。
【課題を解決するための手段】
【０００７】
１．
枕を収容し得る略矩形の袋状に形成された布材からなる本体部と、
前記本体部の一端部に取付けられた一対の紐状部材と、
前記本体部の平坦部分に設けられ、保冷バッグを収容し得る衣嚢部と
を備えたことを特徴とする介護ベッド用枕保持袋。
２．
前記一対の紐状部材は、それぞれが長い紐と短い紐との２本からなり、介護ベッドの可動式のマットレスの頭部側の端部を経て、該マットレスの下のボトム部（通気用の穴を持つ鋼板、金網とそれを保持する金属パイプ枠など）に締結されることを特徴とする前記１記載の介護ベッド用枕保持袋。
【考案の効果】
【０００８】
本考案は、リクライニング機能を備えた介護ベッドで用いるに好適で、上半身側を起こして傾斜させたときに枕が重力によって移動することを防止でき最適な位置に保持できる介護ベッド用枕保持袋を提供することができるものである。
【図面の簡単な説明】
【０００９】
【図１】第１の実施形態の介護ベッド用枕保持袋を示す正面図。
【図２】前記介護ベッド用枕保持袋の細部（マチ）を示す斜視図。
【図３】前記介護ベッド用枕保持袋の細部（紐部）及び介護ベッドのボトム部を示す斜視図。
【図４】前記介護ベッド用枕保持袋の使用状態（１）を示す側面図。
【図５】前記介護ベッド用枕保持袋の使用状態（２）を示す側面図。
【考案を実施するための形態】
【００１０】
以下、図面を参照して、本考案の実施形態を説明する。
【００１１】
（１）第１の実施形態
図１は、第１の実施形態の介護ベッド用枕保持袋を示す正面図である。
【００１２】
本考案の第１の実施形態に係る介護ベッド用枕保持袋は、図１に示すように、布材からなる本体部１を備えている。この本体部１は、枕１０１を収容し得る略矩形（長方形）の袋状に形成されている。
【００１３】
本体部１をなる布材としては、綿が最も好ましく、他にも、例えば、タオル・パイル、ガーゼ、ベロア、メッシュ、ポリエステル、接触冷感素材など、枕カバーに使われる種々の素材が挙げられる。本体部１の大きさは、例えば、３５×５５ｃｍ、４６×６３ｃｍ、５０×７０ｃｍ、６０×７５ｃｍなど、枕の大きさ（規格）として一般的な大きさの他、瓢箪型や動物型など、特殊な大きさ及び形状を有する枕を使う場合には、その枕に対応させた大きさ及び形状としてもよい。
【００１４】
本体部１は、何れかの辺部が、枕を出し入れするために開口されている。こ開口は、通常の使用状態においては開放されたままでもよいが、ファスナー、ホック、ボタンなどにより、枕を収容した後に閉塞されるようにしてもよい。
【００１５】
図２は、前記介護ベッド用枕保持袋の細部（マチ）を示す斜視図である。
【００１６】
本体部１の開口の端部分には、図２に示すように、マチ４を形成することが好ましい。開口の端部分にマチ４が形成されていることにより、本体部１への枕の出し入れが容易となる。
【００１７】
本体部１の表面部（平坦部分）には、図１に示すように、保冷バッグ（氷嚢）１０２を収容し得る衣嚢部（ポケット）３が設けられている。衣嚢部３は、矩形状の布材の３辺（両側辺及び下辺）が本体部１の外面部に縫着または接着されて構成されている。衣嚢部３は、本体部１と同一の素材によって形成されていてもよいし、防水性のある布やメッシュなど、異なる素材によって形成されていてもよい。衣嚢部３の端部分にも、マチを形成することが好ましい。端部分にマチが形成されていることにより、衣嚢部３への保冷バッグ１０２の出し入れが容易となる。
【００１８】
衣嚢部３の下端部は、本体部１の下端部（長辺部）から２〜３ｃｍの箇所にあることが好ましい。この間隔が狭いと、保冷バッグ１０２の重量によって、本体部１が枕１０１に対して下方にずれることが多いからである。
【００１９】
本体部１の一端部（上端部）には、一対の紐状部材２、２の基端部分が、２本ずつ取付けられている。この紐状部材２、２は、本体部１と同一の素材によって形成されていてもよいし、異なる素材によって形成されていてもよい。紐状部材２、２は、本体部１の長辺部である端部に、縫着や接着により取付けられている。紐状部材２、２は、本体部１の長辺部の中央部に対して対称となる位置にそれぞれを取付けることが好ましい。
【００２０】
紐状部材２、２の取付け位置は、衣嚢部３の両側部の上部となる位置が好ましく、その位置は、本体部１の両側部より長辺部の約１／４の長さだけ内方（中央側）に移動した位置であることが好ましい。
【００２１】
一対の紐状部材２、２の先端部分は、締結具を設けずに、それぞれの２本を互いに結び付けるようにして使うものであるが、ホック、ボタン、フック、バックルなどの締結具によって、それぞれの２本が互いに締結されるようにしてもよい。
【００２２】
図３は、前記介護ベッド用枕保持袋の細部（紐部）及び介護ベッドのボトム部を示す斜視図である。
【００２３】
一対の紐状部材２、２のそれぞれは、図３に示すように、介護ベッドのボトム部（通気用の穴を持つ鋼板、金網とそれを保持する金属パイプ枠など）１０５の開口部を経て互いに結び付けることを容易にするため、互いに長さが異なっていることが好ましい。つまり、長い紐と短い紐とが同じ箇所に取付けられ、このような２本の紐が２箇所に取付けられて、一対の紐状部材２、２となる。
【００２４】
短い紐は、本体部１の表面部（衣嚢部３が設けられている面）に取付け、例えば、３０ｃｍ程度とし、長い紐は、本体部１の裏面部（介護ベッドのマットレス１０４に当たる側）に取付け、例えば、６０ｃｍ程度とすることが好ましい。なお、子供用の場合には、上半身側を起こしたときに頭部が大人よりも下方に位置することになるので、短い紐を、例えば、６０ｃｍ程度とし、長い紐を、例えば、９０ｃｍ程度とすることが好ましい。
【００２５】
図４は、前記介護ベッド用枕保持袋の使用状態（１）を示す側面図である。
【００２６】
この介護ベッド用枕保持袋は、図４に示すように、本体部１に枕１０１を収容し、紐状部材２、２を介護ベッドの可動式のマットレス１０４の頭部側の適宜の位置に締結させておく。紐状部材２、２は、前述したように、マットレス１０４の頭部側の端部を経て、マットレス１０４の下のボトム部１０５、すなわち、通気用の穴を持つ鋼板、金網とそれを保持する金属パイプ枠などに締結されることが好ましい。紐状部材２、２の締結は、締結具を用いずに結び付けるが、締結具によって行ってもよい。
【００２７】
図５は、前記介護ベッド用枕保持袋の使用状態（２）を示す側面図である。
【００２８】
介護ベッドのリクライニング機能を使用して、図５中矢印Ａで示すように、マットレス１０４の上半身側を起こして傾斜させたとき、紐状部材２、２がマットレス１０４の下のボトム部１０５に締結されているので、枕１０１が重力によって腰側に移動することなく、最適な位置に保持される。
【符号の説明】
【００２９】
１  本体部
２  紐状部材
３  衣嚢部
４  マチ
１０１  枕
１０２  保冷バッグ
１０３  固定枠部
１０４  マットレス
１０５  ボトム部
【図１】
0003223634.tif 000003
【図２】
0003223634.tif 000004
【図３】
0003223634.tif 000005
【図４】
0003223634.tif 000006
【図５】
0003223634.tif 000007
【手続補正書】
【提出日】令和1年8月22日(2019.8.22)
【手続補正１】
【補正対象書類名】実用新案登録請求の範囲
【補正対象項目名】全文
【補正方法】変更
【補正の内容】
【実用新案登録請求の範囲】
【請求項１】
枕を収容し得る略矩形の袋状に形成された布材からなる本体部と、
前記本体部の一端部に取付けられた一対の紐状部材と、
前記本体部の平坦部分に設けられ、保冷バッグを収容し得る衣嚢部と
を備えたことを特徴とする介護ベッド用枕保持袋。
【請求項２】
前記一対の紐状部材は、それぞれが長い紐と短い紐との２本からなり、介護ベッドの可動式のマットレスの頭部側の端部を経て、該マットレスの下のボトム部に締結されることを特徴とする請求項１記載の介護ベッド用枕保持袋。